(57)【要約】  本願発明の実施形態は、電力制御方法および通信デバイスを提供し、通信分野に関し、ＮＲで複数のサブキャリア間隔が用いられるときのＣＡおよびＤＣ技術における不適切な電力配分の課題を解決する。同方法は、複数のセルで構成された端末に関して、複数のセルを、サブキャリア間隔に基づきセルグループにグループ化する段階であって、セルグループに関する電力制御モードは、基地局によって第１電力制御モードまたは第２電力制御モードに設定され、複数のセルはＣＡまたはＤＣのいずれかを用いる、段階を備える。本願発明の実施形態は、キャリア間隔が複数のキャリアが混在するときの電力制御に関して用いられる。
2020500469.tif 000002
【特許請求の範囲】
【請求項１】
複数のセルで構成された端末に関して、前記複数のセルを、サブキャリア間隔に基づきセルグループにグループ化する段階であって、前記セルグループに関する電力制御モードは、基地局によって第１電力制御モードまたは第２電力制御モードに設定され、前記複数のセルはキャリアアグリゲーションＣＡまたは同時通信ＤＣのいずれかを用いる、段階を備える電力制御方法。
【請求項２】
前記複数のセルを、サブキャリア間隔に基づきセルグループにグループ化する前記段階は、サブキャリア間隔が同じであるセルを同じセルグループに含める段階であって、前記セルグループ内の前記セルは同じ電力制御モードを用い、前記同じ電力制御モードは前記第１電力制御モードまたは前記第２電力制御モードである、段階を有する、請求項１に記載の電力制御方法。
【請求項３】
前記第１電力制御モードは、チャネルタイプの優先度またはセルグループタイプの優先度に基づき伝送電力を配分するのに用いられ、前記第２電力制御モードは、伝送チャネルまたはセルグループの送信の時間順序に基づき電力を配分するのに用いられる、請求項１または２に記載の電力制御方法。
【請求項４】
前記セルはキャリアまたはサービングセルのうち少なくとも１つである、請求項１から３のいずれか一項に記載の電力制御方法。
【請求項５】
端末が、第１報告情報を基地局へ送信する段階であって、前記第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、段階を備える電力制御方法。
【請求項６】
前記電力配分方式は、種々のキャリアセットまたは周波数帯域セットが独立した電力制御を用いることを含み、前記独立した電力制御は、少なくとも１つのキャリアセットまたは少なくとも１つの周波数帯域セットの最大伝送電力が独立して予め定められることを含む、請求項５に記載の電力制御方法。
【請求項７】
前記端末は、前記少なくとも１つのキャリアセットまたは前記少なくとも１つの周波数帯域セットの前記最大伝送電力と、電力を共有出来る前記少なくとも１つのキャリアセットまたは前記少なくとも１つの周波数帯域セットの合計最大伝送電力とを予め定める、請求項５または６に記載の電力制御方法。
【請求項８】
複数のセルで構成された端末に関して、前記複数のセルを、サブキャリア間隔に基づきセルグループにグループ化するよう構成されたグループ化ユニットであって、前記セルグループに関する電力制御モードは、基地局によって第１電力制御モードまたは第２電力制御モードに設定され、前記複数のセルはキャリアアグリゲーションＣＡまたは同時通信ＤＣのいずれかを用いる、グループ化ユニットを備える通信デバイス。
【請求項９】
前記グループ化ユニットは、サブキャリア間隔が同じであるセルを同じセルグループに含めるよう構成され、前記セルグループ内の前記セルは同じ電力制御モードを用い、前記同じ電力制御モードは前記第１電力制御モードまたは前記第２電力制御モードである、請求項８に記載の通信デバイス。
【請求項１０】
前記第１電力制御モードは、チャネルタイプの優先度またはセルグループタイプの優先度に基づき伝送電力を配分するのに用いられ、前記第２電力制御モードは、伝送チャネルまたはセルグループの送信の時間順序に基づき電力を配分するのに用いられる、請求項８または９に記載の通信デバイス。
【請求項１１】
前記セルはキャリアまたはサービングセルのうち少なくとも１つである、請求項８から１０のいずれか一項に記載の通信デバイス。
【請求項１２】
第１報告情報を基地局へ送信するよう構成された送信ユニットであって、前記第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、送信ユニットを備える端末。
【請求項１３】
前記電力配分方式は、種々のキャリアセットまたは周波数帯域セットが独立した電力制御を用いることを含み、前記独立した電力制御は、少なくとも１つのキャリアセットまたは少なくとも１つの周波数帯域セットの最大伝送電力が独立して予め定められることを含む、請求項１２に記載の端末。
【請求項１４】
前記端末は、前記少なくとも１つのキャリアセットまたは前記少なくとも１つの周波数帯域セットの前記最大伝送電力と、電力を共有出来る前記少なくとも１つのキャリアセットまたは前記少なくとも１つの周波数帯域セットの合計最大伝送電力とを予め定める、請求項１２または１３に記載の端末。
【請求項１５】
複数のセルで構成された端末に関して、前記複数のセルを、サブキャリア間隔に基づきセルグループにグループ化するよう構成されたプロセッサであって、前記セルグループに関する電力制御モードは、基地局によって第１電力制御モードまたは第２電力制御モードに設定され、前記複数のセルはキャリアアグリゲーションＣＡまたは同時通信ＤＣのいずれかを用いる、プロセッサを備える通信デバイス。
【請求項１６】
前記プロセッサはさらに、サブキャリア間隔が同じであるセルを同じセルグループに含めるよう構成され、前記セルグループ内の前記セルは同じ電力制御モードを用い、前記同じ電力制御モードは前記第１電力制御モードまたは前記第２電力制御モードである、請求項１５に記載の通信デバイス。
【請求項１７】
前記第１電力制御モードは、チャネルタイプの優先度またはセルグループタイプの優先度に基づき伝送電力を配分するのに用いられ、前記第２電力制御モードは、伝送チャネルまたはセルグループの送信の時間順序に基づき電力を配分するのに用いられる、請求項１５または１６に記載の通信デバイス。
【請求項１８】
前記セルはキャリアまたはサービングセルのうち少なくとも１つである、請求項１５から１７のいずれか一項に記載の通信デバイス。
【請求項１９】
第１報告情報を基地局へ送信するよう構成された送信機であって、前記第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、送信機を備える端末。
【請求項２０】
前記電力配分方式は、種々のキャリアセットまたは周波数帯域セットが独立した電力制御を用いることを含み、前記独立した電力制御は、少なくとも１つのキャリアセットまたは少なくとも１つの周波数帯域セットの最大伝送電力が独立して予め定められることを含む、請求項１９に記載の端末。
【請求項２１】
前記端末は、前記少なくとも１つのキャリアセットまたは前記少なくとも１つの周波数帯域セットの前記最大伝送電力と、電力を共有出来る前記少なくとも１つのキャリアセットまたは前記少なくとも１つの周波数帯域セットの合計最大伝送電力とを予め定める、請求項１９または２０に記載の端末。
【発明の詳細な説明】
【技術分野】
【０００１】
本願は、２０１６年１１月４日に中国国家知識産権局に提出された、発明の名称が「ＰＯＷＥＲ  ＣＯＮＴＲＯＬ  ＭＥＴＨＯＤ  ＡＮＤ  ＣＯＭＭＵＮＩＣＡＴＩＯＮＳ  ＤＥＶＩＣＥ」である中国特許出願第２０１６１０９７８２３８．０号に基づく優先権を主張する。同特許出願はその全体が参照により本明細書に組み込まれる。
【０００２】
本願は通信分野に関し、特に、電力制御方法および通信デバイスに関する。
【背景技術】
【０００３】
シングルユーザピーク速度を高め、システム容量を増やすことについての要求を満たすべく、一方式において、システムの伝送帯域幅が拡大される。したがって、ロングタームエヴォリューションアドバンスト（Ｌｏｎｇ  Ｔｅｒｍ  Ｅｖｏｌｕｔｉｏｎ−Ａｄｖａｎｃｅｄ，ＬＴＥ−Ａｄｖａｎｃｅｄ）システムは、伝送帯域幅を拡大するための技術、すなわち、キャリアアグリゲーション（Ｃａｒｒｉｅｒ  Ａｇｇｒｅｇａｔｉｏｎ，ＣＡ）を導入する。ＣＡ技術は、２つから５つのＬＴＥコンポーネントキャリア（Ｃｏｍｐｏｎｅｎｔ  Ｃａｒｒｉｅｒ，ＣＣ）のアグリゲーションを行い、１００ＭＨｚの最大伝送帯域幅を実現し、アップリンクおよびダウンリンクの伝送速度を実質的に向上させ得る。他の方式において、同時通信（Ｄｕａｌ  Ｃｏｎｎｅｃｔｉｖｉｔｙ，ＤＣ）技術を用いることにより、ユーザデータスループットが向上する。ＤＣ技術の本質は、非理想的なバックホール（Ｂａｃｋｈａｕｌ）を前提としたキャリアアグリゲーション局間のキャリアアグリゲーションである。ＤＣ技術の典型的なシナリオにおいて、マクロセル（プライマリセル）基地局とミクロセル（セカンダリセル）基地局とがある。マクロセル基地局は、標準的なＸ２インタフェースを用いることによりミクロセル基地局に接続する。マクロセル基地局のスケジューラと、ミクロセル基地局のスケジューラとはそれぞれのセルの無線リソースをそれぞれ管理し、互いに調整を行う必要がある。同時通信技術において、モビリティマネジメントが、マクロセル基地局を用いることにより実施され、ミクロセルのアグリゲーションを行うことにより追加的なユーザ容量がもたらされ、ユーザデータスループットを向上させる。
【０００４】
ＬＴＥ／ＬＴＥ−Ａにおけるマルチキャリア電力制御モードにはＭｏｄｅ１およびＭｏｄｅ２が含まれる。Ｍｏｄｅ１はＬｏｏｋ−ａｈｅａｄモードを用いる：電力配分が、チャネルタイプの優先度に基づき種々のセルグループ（Ｃｅｌｌ  Ｇｒｏｕｐ，ＣＧ）に関して実施され、予め定められた保証電力および共有可能な伝送電力区間が、基地局により設定された最大保証電力（Ｍａｘｉｍｕｍ  Ｇｕａｒａｎｔｅｅｄ  Ｐｏｗｅｒ，ＭＧＰ）に基づき各ＣＧに配分され、共有可能な電力区間の電力が、伝送チャネルのタイプに基づき配分される。Ｍｏｄｅ２はＮｏｎ  Ｌｏｏｋ−ａｈｅａｄモードを用いる：電力配分が、時間順序に基づき種々のＣＧに関して実施され、予め定められた保証電力および共有可能な伝送電力区間が、基地局により設定されたＭＧＰに基づき各ＣＧに配分され、共有可能な電力区間の電力が、チャネル伝送の時間順序に基づき配分される。図１は、ＤＣ技術におけるＭｏｄｅ１およびＭｏｄｅ２の概略図である。
【０００５】
既存のＬＴＥにおいて、Ｍｏｄｅ１はＣＡの電力制御モードに用いられ、１つのサブフレームが時間に関して部分的に重なる場合の電力制御のみが考慮されている。例えば、ＵＥは、マルチタイミングアドバンス（Ｍｕｌｔｉ−Ｔｉｍｉｎｇ  Ａｄｖａｎｃｅ，ＭＴＡ）を設定する。タイミングアドバンスグループ（Ｔｉｍｉｎｇ  Ａｄｖａｎｃｅ  Ｇｒｏｕｐ，ＴＡＧ）の所与のセルにおける物理アップリンク共有チャネル（Ｐｈｙｓｉｃａｌ  Ｕｐｌｉｎｋ  Ｓｈａｒｅｄ  Ｃｈａｎｎｅｌ，ＰＵＳＣＨ）を伝送するためのサブフレームｉが、他のＴＡＧの異なるサービングセルにおける物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）を伝送するためのサブフレームｉ＋１に重なる場合、ＵＥはＴＡＧの電力全体を調整し、これにより、重なったどの部分の電力も予め定められた最大電力を超えなくなる。１つの重なったサブフレームの電力のみが考慮され、これでは、種々のサブキャリア間隔が用いられる場合の要求を満たすことが出来ない。キャリア上の時間領域リソースユニット（ｓｌｏｔ）が他のキャリア上の複数の時間領域リソースユニットに対応する場合、電力配分が不適切であり伝送性能が低下する。既存のＬＴＥにおいて、これらＭｏｄｅ１およびＭｏｄｅ２がＤＣの電力制御に用いられ得、１つのサブフレームが時間に関して部分的に重なる場合の電力制御のみが考慮され、複数のサブキャリア間隔が混在する場合の電力制御、つまり、１つのキャリア上の時間領域リソースユニットが他のキャリア上の複数の時間領域リソースユニットに対応する場合の電力制御は考慮されておらず、電力配分が不適切なものとなり伝送性能が低下することとなる。
【発明の概要】
【０００６】
本願発明の実施形態は、電力制御方法および通信デバイスを提供し、新たな無線アクセス技術（Ｎｅｗ  ＲＡＴ，ＮＲ）において複数のサブキャリア間隔が用いられる場合のＣＡ技術およびＤＣ技術における不適切な電力配分の課題を解決する。
【０００７】
第１態様によれば、複数のセルで構成された端末に関して、複数のセルを、サブキャリア間隔に基づきセルグループにグループ化する段階であって、セルグループに関する電力制御モードは、基地局によって第１電力制御モードまたは第２電力制御モードに設定され、複数のセルはキャリアアグリゲーションＣＡまたは同時通信ＤＣのいずれかを用いる、段階を備える電力制御方法が提供される。第１電力制御モードは、チャネルタイプの優先度またはセルグループタイプの優先度に基づき伝送電力を配分するのに用いられ、Ｌｏｏｋ−ａｈｅａｄモードであり得、第２電力制御モードは、伝送チャネルまたはセルグループの時間順序に基づき電力を配分するのに用いられ、Ｎｏｎ  Ｌｏｏｋ−ａｈｅａｄモードであり得る。セルは、キャリアまたはサービングセルのうち少なくとも１つである。このように、同じセルグループ内の全てのキャリアが、サブキャリア間隔が同じであるキャリアである。同じサブキャリア間隔に対応するキャリアのスロットサイズは同じであって、複数の異なるキャリアが混在する場合に１つのキャリア上の時間領域リソースユニットが他のキャリア上の複数の時間領域リソースユニットに対応するケースが回避され、これにより、同じ時間領域リソースユニット内の、サブキャリア間隔が同じであるキャリアの電力配分が適切なものとなる。
【０００８】
考えられる設計において、複数のセルを、サブキャリア間隔に基づきセルグループにグループ化する段階は、サブキャリア間隔が同じであるセルを同じセルグループに含める段階であって、セルグループ内のセルは同じ電力制御モードを用い、同じ電力制御モードは第１電力制御モードまたは第２電力制御モードである、段階を有する。
【０００９】
第２態様によれば、端末が、第１報告情報を基地局へ送信する段階であって、第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、段階を備える電力制御方法が提供される。従来技術においては、（６ＧＨｚを含む）６ＧＨｚ以下の低周波数帯域のキャリアに関する電力共有メカニズムのみが考慮されてきた。しかしながら、５Ｇ通信技術などの次世代の無線通信技術においては、６より高いキャリアまたは周波数帯域、例えば３０ＧＨｚキャリアが導入される。高周波数帯域および低周波数帯域を含むキャリアまたは周波数帯域の電力増幅は電力増幅器に対する電力増幅効率の要求が異なり、用いられる電力増幅器が高周波数帯域と低周波数帯域とで異なるというシナリオがあり得る。このシナリオにおいて電力配分メカニズムを実装すべく、端末側は電力共有情報を報告する必要があり、その電力共有情報は、種々のキャリアセットまたは周波数帯域セットが伝送電力を共有出来るかを示す。この電力配分方式は、種々のキャリアセットまたは周波数帯域セットが独立した電力制御を用いることを含み、その独立した電力制御は、少なくとも１つのキャリアセットまたは少なくとも１つの周波数帯域セットの最大伝送電力が独立して予め定められることを含む。
【００１０】
考えられる設計において、端末は、少なくとも１つのキャリアセットまたは少なくとも１つの周波数帯域セットの最大伝送電力と、電力を共有出来る少なくとも１つのキャリアセットまたは少なくとも１つの周波数帯域セットの合計最大伝送電力とを予め定める。
【００１１】
第３態様によれば、セルのサブキャリア間隔を決定するよう構成された決定ユニットと、複数のセルで構成された端末に関して、複数のセルを、サブキャリア間隔に基づきセルグループにグループ化するよう構成されたグループ化ユニットであって、セルグループに関する電力制御モードは、基地局によって第１電力制御モードまたは第２電力制御モードに設定され、複数のセルはキャリアアグリゲーションＣＡまたは同時通信ＤＣのいずれかを用いる、グループ化ユニットを備える基地局が提供される。セルは、キャリアまたはサービングセルのうち少なくとも１つである。
【００１２】
考えられる設計において、グループ化ユニットは、サブキャリア間隔が同じであるセルを同じセルグループに含めるよう構成され、セルグループ内のセルは同じ電力制御モードを用い、同じ電力制御モードは第１電力制御モードまたは第２電力制御モードである。
【００１３】
考えられる設計において、第１電力制御モードは、チャネルタイプの優先度またはセルグループタイプの優先度に基づき伝送電力を配分するのに用いられ、第２電力制御モードは、伝送チャネルまたはセルグループの送信の時間順序に基づき電力を配分するのに用いられる。
【００１４】
第４態様によれば、少なくとも１つのキャリアセットまたは少なくとも１つの周波数帯域セットの第１報告情報を決定するよう構成された決定ユニットと、第１報告情報を基地局へ送信するよう構成された送信ユニットであって、第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、送信ユニットとを備える端末が提供される。この電力配分方式は、種々のキャリアセットまたは周波数帯域セットが独立した電力制御を用いることを含み、その独立した電力制御は、少なくとも１つのキャリアセットまたは少なくとも１つの周波数帯域セットの最大伝送電力が独立して予め定められることを含む。
【００１５】
考えられる設計において、端末は、少なくとも１つのキャリアセットまたは少なくとも１つの周波数帯域セットの最大伝送電力と、電力を共有出来る少なくとも１つのキャリアセットまたは少なくとも１つの周波数帯域セットの合計最大伝送電力とを予め定める。
【００１６】
第５態様によれば、複数のセルで構成された端末に関して、複数のセルを、サブキャリア間隔に基づきセルグループにグループ化するよう構成されたプロセッサであって、セルグループに関する電力制御モードは、基地局によって第１電力制御モードまたは第２電力制御モードに設定され、複数のセルはキャリアアグリゲーションＣＡまたは同時通信ＤＣのいずれかを用いる、プロセッサを備える通信デバイスが提供される。第１電力制御モードは、チャネルタイプの優先度またはセルグループタイプの優先度に基づき伝送電力を配分するのに用いられ、第２電力制御モードは、伝送チャネルまたはセルグループの送信の時間順序に基づき電力を配分するのに用いられる。セルはキャリアまたはサービングセルのうち少なくとも１つである。
【００１７】
考えられる設計において、プロセッサはさらに、サブキャリア間隔が同じであるセルを同じセルグループに含めるよう構成され、セルグループ内のセルは同じ電力制御モードを用い、同じ電力制御モードは第１電力制御モードまたは第２電力制御モードである。
【００１８】
第６態様によれば、第１報告情報を基地局へ送信するよう構成された送信機を備え、第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、送信機を備える端末が提供される。この電力配分方式は、種々のキャリアセットまたは周波数帯域セットが独立した電力制御を用いることを含み、その独立した電力制御は、少なくとも１つのキャリアセットまたは少なくとも１つの周波数帯域セットの最大伝送電力が独立して予め定められることを含む。端末は、少なくとも１つのキャリアセットまたは少なくとも１つの周波数帯域セットの最大伝送電力と、電力を共有出来る少なくとも１つのキャリアセットまたは少なくとも１つの周波数帯域セットの合計最大伝送電力とを予め定める。
【００１９】
本願発明の実施形態は、電力配分方法および通信デバイスを提供する。複数のセルで構成された端末に関して、それら複数のセルはサブキャリア間隔に基づきセルグループにグループ化される。ここでそれらセルグループの電力制御モードは、基地局により、第１電力制御モードまたは第２電力制御モードに設定され、それら複数のセルはキャリアアグリゲーションＣＡまたは同時通信ＤＣのいずれかを用いる。このように、同じセルグループ内の全てのセルが、サブキャリア間隔が同じであるセルである。同じサブキャリア間隔に対応するセルのスロットサイズは同じである。セルがキャリアである場合、複数の異なるキャリアが混在する場合に１つのキャリア上の時間領域リソースユニットが他のキャリア上の複数の時間領域リソースユニットに対応するケースが回避することが出来、これにより、同じ時間領域リソースユニット内の、サブキャリア間隔が同じであるキャリアの電力配分が適切なものとなる。
【図面の簡単な説明】
【００２０】
【図１】本願発明の実施形態に係るＤＣ技術におけるＭｏｄｅ１およびＭｏｄｅ２の概略図である。
【００２１】
【図２】本願発明の実施形態に係るＤＣ応用シナリオの概略図である。
【００２２】
【図３】本願発明の実施形態に係るＤＣネットワークアーキテクチャの概略図である。
【００２３】
【図４】本願発明の実施形態に係る４つの主なＣＡ応用シナリオの概略図である。
【００２４】
【図５ａ】本願発明の実施形態に係る電力制御方法の概略フローチャートである。
【００２５】
【図５ｂ】本願発明の実施形態に係る電力制御方法の概略フローチャートである。
【００２６】
【図６】本願発明の実施形態に係るサブキャリア間隔が異なるキャリアの概略図である。
【００２７】
【図７】本願発明の実施形態に係るサブキャリア間隔に対応するサブフレーム時間長の概略図である。
【００２８】
【図８】本願発明の実施形態に係るサブキャリア間隔に基づく区分によりキャリアグループが得られた後のＭｏｄｅ１およびＭｏｄｅ２の概略図である。
【００２９】
【図９】本願発明の実施形態に係る通信デバイスの概略構造図である。
【００３０】
【図１０】本願発明の実施形態に係る通信デバイスの概略構造図である。
【００３１】
【図１１】本願発明の実施形態に係る通信デバイスの概略構造図である。
【００３２】
【図１２】本願発明の実施形態に係る端末の概略構造図である。
【００３３】
【図１３】本願発明の実施形態に係る端末の概略構造図である。
【００３４】
【図１４】本願発明の実施形態に係る端末の概略構造図である。
【発明を実施するための形態】
【００３５】
本願発明の技術方法は、新たな無線アクセス技術（Ｎｅｗ  ＲＡＴ（Ｒａｄｉｏ  Ａｃｃｅｓｓ  Ｔｅｃｈｎｏｌｏｇｙ，無線アクセス技術），ＮＲ）におけるＣＡまたはＤＣシナリオに応用され得る。図２は、ＤＣ応用シナリオの概略図である。リソースのスケジューリングは、マスターｅＮｏｄｅＢ（Ｍａｓｔｅｒ  ｅＮｏｄｅＢ，ＭｅＮＢ）とセカンダリｅＮｏｄｅＢ（Ｓｅｃｏｎｄａｒｙ  ｅＮｏｄｅＢ，ＳｅＮＢ）とにより共同で制御され、端末（Ｕｓｅｒ  Ｅｑｕｉｐｍｅｎｔ，ＵＥ）がＭｅＮＢおよびＳｅＮＢの両方に接続されて、マルチキャリアスケジューリングが実装され得る。図３は、ＤＣネットワークアーキテクチャの概略図である。図４は、４つの主なＣＡ応用シナリオを示すが、本願発明はそれら４つの応用シナリオに限定されない。それら４つの応用シナリオに含まれるのは以下のシナリオである：（ａ）ある最も典型的なシナリオにおいて、複数のＣＣが同じビーム方向またはモードを有し、カバレッジエリアが基本的に同じである。（ｂ）周波数スペクトルが個別に採用される場合、複数のＣＣの伝送電力が異なり、カバレッジエリアも異なる。（ｃ）複数のＣＣが異なるビーム方向またはモードを有し、カバレッジエリアが相補的である。（ｄ）マクロセル（Ｍａｃｒｏ  ｃｅｌｌ）のＣＣがカバレッジ機能を提供し、リモート無線ヘッド（Ｒｅｍｏｔｅ  Ｒａｄｉｏ  Ｈｅａｄ，ＲＲＨ）のＣＣがスループットをもつ。
【００３６】
本願発明の実施形態において、言及されているネットワークエレメントは基地局および端末を含み得る。基地局は、ｅＮｏｄｅＢ、進化型ＮｏｄｅＢ（ｅＮＢ）、または伝送受信ポイント（Ｔｒａｎｓｍｉｓｓｉｏｎ  Ｒｅｃｅｐｔｉｏｎ  Ｐｏｉｎｔ，ＴＲＰ）のうち１つであり得る。端末はＵＥであり得、ｅＮＢはＭｅＮＢおよびＳｅＮＢを含み得る。ｅＮＢはＬＴＥにおける基地局であり、主に、無線インタフェース側の無線リソース管理、サービス品質（Ｑｕａｌｉｔｙ  ｏｆ  Ｓｅｒｖｉｃｅ，ＱｏＳ）管理、データ圧縮、およびデータ暗号化などの機能を担う。コアネットワーク側では、ｅＮＢは主に、制御プレーンのシグナリングをモビリティマネジメントエンティティ（Ｍｏｂｉｌｉｔｙ  Ｍａｎａｇｅｍｅｎｔ  Ｅｎｔｉｔｙ，ＭＭＥ）に転送すること、およびユーザプレーンのサービスデータをＳ−ＧＷに転送することを担う。ＮＲにおいて、ｅＮＢに対応する概念がＴＲＰである。ＵＥは、任意のタイプのユーザ機器であり得、ＵＥは固定型であり得、または移動型であり得る。限定されないがＵＥは、局（Ｓｔａｔｉｏｎ）、モバイル局（Ｍｏｂｉｌｅ  Ｓｔａｔｉｏｎ）、加入者ユニット（Ｓｕｂｓｃｒｉｂｅｒ  Ｕｎｉｔ）、パーソナルコンピュータ（Ｐｅｒｓｏｎａｌ  Ｃｏｍｐｕｔｅｒ）、ラップトップコンピュータ（Ｌａｐｔｏｐ  Ｃｏｍｐｕｔｅｒ）、タブレット型コンピュータ（Ｔａｂｌｅｔ  Ｃｏｍｐｕｔｅｒ）、ネットブック（Ｎｅｔｂｏｏｋ）、端末（Ｔｅｒｍｉｎａｌ）、セルラーフォン（Ｃｅｌｌｕｌａｒ  Ｐｈｏｎｅ）、手持ち型（Ｈａｎｄｈｅｌｄ）デバイス、コードレス電話（Ｃｏｒｄｌｅｓｓ  Ｐｈｏｎｅ）、携帯情報端末（Ｐｅｒｓｏｎａｌ  Ｄｉｇｉｔａｌ  Ａｓｓｉｓｔａｎｔ，略記ＰＤＡ）、データカード（Ｄａｔａ  Ｃａｒｄ）、ユニバーサルシリアルバス（Ｕｎｉｖｅｒｓａｌ  Ｓｅｒｉａｌ  Ｂｕｓ，略記ＵＳＢ）挿入対応デバイス、モバイルＷｉ−Ｆｉホットスポットデバイス（Ｗｉ−Ｆｉ  Ｄｅｖｉｃｅｓ）、スマートウォッチ、スマートグラス、無線モデム（英語：Ｍｏｄｅｍ）、無線ルータ、無線ローカルループ（Ｗｉｒｅｌｅｓｓ  Ｌｏｃａｌ  Ｌｏｏｐ，略記ＷＬＬ）局、および同様のものを含み得る。
【００３７】
本願発明の実施形態は電力制御方法を提供する。複数のセルで構成された端末に関して、それら複数のセルはサブキャリア間隔に基づきセルグループにグループ化される。ここでそれらセルグループの電力制御モードは、基地局により、第１電力制御モードまたは第２電力制御モードに設定され、それら複数のセルはキャリアアグリゲーションＣＡまたは同時通信ＤＣのいずれかを用いる。このように、同じセルグループ内の全てのセルが、サブキャリア間隔が同じであるセルである。セルがキャリアである場合、同じサブキャリア間隔に対応するキャリアのスロットサイズは同じであって、複数の異なるキャリアが混在する場合に１つのキャリア上の時間領域リソースユニットが他のキャリア上の複数の時間領域リソースユニットに対応するケースが回避され、これにより、同じ時間領域リソースユニット内の、サブキャリア間隔が同じであるキャリアの電力配分が適切なものとなる。
【００３８】
本願発明の実施形態において、セルがキャリアである例が説明に用いられる。
【００３９】
本願発明の実施形態は、以下の段階を含む、図５ａに示されているような電力制御方法を提供する。
【００４０】
５０１。通信デバイスがキャリアのサブキャリア間隔を決定する。
【００４１】
５０２。複数のキャリアで構成された端末に関し、通信デバイスが、サブキャリア間隔に基づきキャリアをキャリアグループにグループ化する。ここで、それら複数のキャリアはＣＡまたはＤＣのいずれかを用いる。
【００４２】
通信デバイスは基地局および／または端末を含み得る。言い換えると、キャリアは、基地局側若しくは端末側により、または基地局が端末とやり取りした後でグループ化され得る。
【００４３】
例えば、サブキャリア間隔が異なるキャリアを端末側が含むと基地局が決定した場合、基地局は、サブキャリア間隔が同じであるキャリアを同じキャリアグループに含め得る。
【００４４】
例えば、ＣＡモードでは、複数のコンポーネントキャリアＣＣのアグリゲーションが行われ、それら複数のＣＣのサブキャリア間隔は同じであり得るか、または異なり得る。基地局は、サブキャリア間隔に基づき、サブキャリア間隔が同じであるＣＣを同じキャリアグループに含め得る。ＤＣモードでは、本質的に、非理想的なバックホールを前提とし、キャリアアグリゲーション局間でキャリアのアグリゲーションが行われる。種々の応用シナリオにおいて、キャリアアグリゲーションにおけるサブキャリア間隔は同じであり得、または異なり得る。基地局は同様に、キャリアアグリゲーションにおけるサブキャリア間隔に基づき、サブキャリア間隔が同じであるＣＣを同じキャリアグループに含め得る。図６に示されているように、２つのサブキャリア間隔のキャリアが混在している場合、第１サブキャリア間隔のＣＣ１からＣＣ３は第１キャリアグループに含められ、第２サブキャリア間隔のＣＣ４からＣＣ７は第２キャリアグループに含められる。
【００４５】
５０３。基地局が、種々のキャリアグループに関して用いるように第１電力制御モードまたは第２電力制御モードを設定し、あるキャリアグループ内のキャリアは同じ電力制御モードを用いる。ここで、その同じ電力制御モードは第１電力制御モードまたは第２電力制御モードである。
【００４６】
第１電力制御モードはＭｏｄｅ１のモードであり得、Ｍｏｄｅ１のモードはＬｏｏｋ−ａｈｅａｄモードであり、チャネルタイプの優先度またはキャリアグループタイプの優先度に基づき伝送電力を配分するのに用いられる。第２電力制御モードはＭｏｄｅ２のモードであり得、Ｍｏｄｅ２のモードはＮｏｎ  Ｌｏｏｋ−ａｈｅａｄモードであり、伝送チャネルまたはキャリアグループの送信の時間順序に基づき電力を配分するのに用いられる。
【００４７】
種々のサブキャリア間隔に対応するスロットサイズ同士は異なる。言い換えると、同じサブキャリア間隔に対応するスロットは同じ長さの時間続く。従来技術の電力制御方法において、１つの重なったサブフレームの電力のみが考慮される。例えば、ＴＡＧの所与のセル内のＰＵＣＣＨを伝送するためのサブフレームｉは、他のＴＡＧの異なるサービングセル内のＰＵＳＣＨを伝送するためのサブフレームｉ＋１に重なり、端末は、ＴＡＧの電力全体を調整し、これにより、重なった部分の電力が最大伝送電力を超えなくなる。しかしながら、サブキャリア間隔が異なるキャリアがある場合、１つのキャリア上の時間領域リソースユニットは、他のキャリア上の複数の時間領域リソースユニットに対応し得る。例えば、図７に示されているように、１５ｋＨｚサブキャリア間隔に対応しアップリンクデータを伝送するのに用いられるサブフレーム時間長Ａを示す、第１サブキャリア間隔に対応するサブフレーム時間長が（１）に示されており、６０ｋＨｚサブキャリア間隔に対応しアップリンクまたはダウンリンクデータを伝送するのに用いられる４つのサブフレーム時間長Ｂ、Ｃ、Ｄ、およびＥを示す、第２サブキャリア間隔に対応する複数のサブフレーム時間長が（２）に示されている。１５ｋＨｚサブキャリア間隔のサブフレーム時間長は６０ｋＨｚサブキャリア間隔の４つのサブフレーム時間長に対応し、既存の電力配分では不適切な電力配分となり得る。しかしながら、本願発明においては、サブキャリア間隔が同じであるキャリアが同じキャリアグループに含められる場合、同じキャリアグループ内の全てのキャリアがサブキャリア間隔が同じであるキャリアであり、同じサブキャリア間隔に対応するキャリアのスロットサイズは同じであり、これにより、端末は、複数の異なるキャリアが混在する場合に１つのキャリア上の時間領域リソースユニットが他のキャリア上の複数の時間領域リソースユニットに対応するケースを回避出来、同じ時間領域リソースユニット内の、サブキャリア間隔が同じであるキャリアの電力配分が適切なものとなる。
【００４８】
５０４。基地局がシグナリングを端末へ送信し、そのシグナリングは、種々のキャリアグループに関して基地局により設定された電力制御モードのインジケーション情報を含む。
【００４９】
端末がシグナリングを受信した場合、キャリアグループ内のキャリアに対応するスロットサイズは同じであるので、複数の異なるキャリアが混在する場合に１つのキャリア上の時間領域リソースユニットが他のキャリア上の複数の時間領域リソースユニットに対応するケースが回避され、同じサブキャリア間隔に対応するキャリアの電力制御モードが同じであるので、端末は、サブキャリア間隔が同じであるキャリアに電力を適切に配分出来る。
【００５０】
図８に示されているように、第１サブキャリア間隔のキャリアＣＧ＿Ｎｕｍ１があり、第２サブキャリア間隔のキャリアＣＧ＿Ｎｕｍ２がある場合、保証電力（Ｇｕａｒａｎｔｅｅｄ  ｐｏｗｅｒ）がＣＧ＿Ｎｕｍ１に配分され、ｇｕａｒａｎｔｅｅｄ  ｐｏｗｅｒがＣＧ＿Ｎｕｍ１に配分される。しかしながら、本願において電力は、従来技術におけるようにＬｏｏｋ−ａｈｅａｄモードでのチャネルタイプに基づいて直接配分されず、電力は、従来技術におけるようにＮｏｎ  Ｌｏｏｋ−ａｈｅａｄモードでの時間順序に基づいてチャネルに直接は配分されず、そうではなく、キャリアのグループ化の側面が追加され、サブキャリア間隔が同じであるキャリアが同じキャリアグループにグループ化される。あるサブフレーム内でＣＧ＿Ｎｕｍ１が占めるスロットサイズは同じであり、あるサブフレーム内でＣＧ＿Ｎｕｍ２が占めるスロットサイズは同じであるので、キャリア間隔が複数あるキャリアが混在する場合に、１サブキャリア上の時間領域リソースユニットが他のキャリア上の時間領域リソースユニットに対応するケースが回避される。加えて、キャリアグループＣＧ＿Ｎｕｍ１およびキャリアグループＣＧ＿Ｎｕｍ２はＬｏｏｋ−ａｈｅａｄ電力制御モードまたはＮｏｎ  Ｌｏｏｋ−ａｈｅａｄ電力制御モードを用い得、ＣＧ＿Ｎｕｍ１内のキャリアがＬｏｏｋ−ａｈｅａｄ電力制御モードを用い得、ＣＧ＿Ｎｕｍ２内のキャリアがＬｏｏｋ−ａｈｅａｄ電力制御モードを用い得、これにより、複数のサブキャリア間隔が混在する場合の電力配分が適切となり伝送性能が向上する。
【００５１】
留意すべきは、本願発明において、Ｌｏｏｋ−ａｈｅａｄ電力制御モードまたはＮｏｎ  Ｌｏｏｋ−ａｈｅａｄ電力制御モードがＣＡモードにおける電力配分に用いられ得ることであり、Ｌｏｏｋ−ａｈｅａｄモードのみがＣＡモードにおける電力配分に用いられる従来技術におけるものより電力配分モードはさらにフレキシブルであるということである。
【００５２】
したがって、本願発明の本実施形態は電力制御方法を提供する。複数のセルで構成された端末に関して、それらキャリアは、サブキャリア間隔に基づきキャリアグループにグループ化される。それらキャリアグループは、基地局側により設定された第１電力制御モードまたは第２電力制御モードを用い得る。第１電力制御モードは第２電力制御モードとは異なる。それら複数のキャリアはＣＡまたはＤＣのいずれかを用いる。基地局はシグナリングを端末へ送信し、そのシグナリングは、種々のキャリアグループに関して基地局により決定された電力制御モードのインジケーション情報を含む。このように、同じキャリアグループ内の全てのキャリアがサブキャリア間隔が同じであるキャリアであり、同じサブキャリア間隔に対応するキャリアのスロットサイズは同じであり、複数の異なるキャリアが混在する場合に１つのキャリア上の時間領域リソースユニットが他のキャリア上の複数の時間領域リソースユニットに対応するケースが回避され、これにより、同じ時間領域リソースユニット内の、サブキャリア間隔が同じであるキャリアの電力配分が適切なものとなる。
【００５３】
本願発明の実施形態はさらに、以下の段階を含む、図５ｂに示されているような電力制御方法を提供する。
【００５４】
６０１。端末が、少なくとも１つのキャリアセットまたは少なくとも１つの周波数帯域セットの電力共有情報を決定する。
【００５５】
従来技術においては、（６ＧＨｚを含む）６ＧＨｚ以下の低周波数帯域のキャリアに関する電力共有メカニズムのみ、つまり、配分された電力を（６ＧＨｚを含む）６ＧＨｚ以下のキャリアが如何に共有するかが考慮されてきた。しかしながら、５Ｇ通信技術などの次世代の無線通信技術においては、６ＧＨｚより高いキャリアまたは周波数帯域、例えば３０ＧＨｚキャリアが導入される。高周波数帯域および低周波数帯域を含むキャリアまたは周波数帯域の電力増幅は電力増幅器に対する電力増幅効率の要求が異なり、用いられる電力増幅器が高周波数帯域と低周波数帯域とで異なるというシナリオがあり得る。このシナリオにおいて電力配分メカニズムを実装すべく、端末側は電力共有情報を報告する必要があり、その電力共有情報は、種々のキャリアセットまたは周波数帯域セットが伝送電力を共有出来るかを示す。
【００５６】
６０２。  端末が第１報告情報を基地局へ送信する。ここで、その第１報告情報は種々のキャリアセットまたは周波数帯域セットに関する電力配分方式を示し、キャリアセットは少なくとも１つのキャリアを含み、周波数帯域セットは少なくとも１つの周波数帯域を含む。
【００５７】
この電力配分方式は、種々のキャリアセットまたは周波数帯域セットが独立した電力制御を用いることを含み、その独立した制御は、少なくとも１つのキャリアセットまたは少なくとも１つの周波数帯域セットの最大伝送電力が独立して予め定められることを含む。
【００５８】
例えば、２つの周波数帯域セット、低周波数帯域を含む周波数帯域セットと、高周波数帯域を含む周波数帯域セットとがあるものと想定する。低周波数帯域を含む周波数帯域セットと高周波数帯域を含む周波数帯域セットとが伝送電力を共有出来るかを端末が決定した場合、第１報告情報が１ビットにより示される。そのビットが０である場合、伝送電力が共有され得ることが示されており、またはそのビットが１である場合、伝送電力が共有され得ないことが示されている。同様に、高周波数帯域を含むキャリアセットと、低周波数帯域を含むキャリアセットとが含まれ得、または、高周波数帯域を含むキャリアセットと、中央周波数帯域を含むキャリアセットと、低周波数帯域を含むキャリアセットとが含まれ、または、他の周波数帯域領域を分割することにより得られる複数のキャリアセットが含まれる。このことは本願において限定されない。
【００５９】
具体的には、第１報告情報は、設定されたキャリアタイプまたは周波数帯域タイプに基づき端末により決定され得、第１報告情報はさらに、伝送電力を共有出来るキャリアセットの識別子、または伝送電力を共有出来る周波数帯域セットの識別子を含み得る。キャリアセットは少なくとも１つのキャリアを含み、周波数帯域セットは少なくとも１つの周波数帯域を含む。
【００６０】
例えば、端末は、ＣＣタイプに基づき第１報告情報を基地局へ報告し得る。そのＣＣタイプは、端末が置かれている異なる応用シナリオによって異なり得る。例えば、ＣＡシナリオにおいて、そのＣＣタイプは、ビーム方向が同じキャリア、伝送電力が異なるキャリア、ビーム方向が異なるキャリア、および同様のものを含み得る。周波数帯域タイプは、端末によりサポートされている周波数帯域値または周波数帯域範囲を含み得る。端末は、電力を共有出来るキャリアタイプのＣＣを１つのキャリアセットに含め得る。例えば、２つのキャリアタイプのＣＣが１つの電力増幅器（Ｐｏｗｅｒ  Ａｍｐｌｉｆｉｅｒ，ＰＡ）を共有し得、それら２つのキャリアタイプのＣＣは１つのキャリアセットに含められ得る。端末は、そのキャリアセット内の各ＣＣの識別子を基地局へ報告し得、これにより、端末により送信されたＮ組のキャリアセットまたはＮ組の周波数帯域セットの電力共有情報を基地局が受信した場合、基地局側は、端末の電力制御モードまたは電力制御タイプを設定出来る。
【００６１】
本願発明の本実施形態において、端末は、少なくとも１つのキャリアセットまたは少なくとも１つの周波数帯域セットの予め定められた最大伝送電力と、電力を共有出来る少なくとも１つのキャリアセットまたは少なくとも１つの周波数帯域セットの予め定められた合計最大伝送電力とを含み得る。
【００６２】
したがって、端末は電力共有情報を基地局へ報告し、これにより、基地局は、種々のキャリアセット内または種々の周波数帯域セット内のキャリアに関して高効率の電力配分モードを適切に設定出来る。
【００６３】
ここまで主に説明したのは、ネットワークエレメント間のやり取りの観点からの、本願発明の実施形態において提供される解決法である。理解され得るであろうが、先述の機能を実装すべく、各ネットワークエレメント、例えば基地局またはＵＥが、それら機能を実施するための対応するハードウェア構造および／またはソフトウェアモジュールを含む。本明細書に開示されている実施形態を参照して説明されている例におけるユニットおよびアルゴリズム段階が、ハードウェアにより、またはハードウェアとコンピュータソフトウェアとの組み合わせにより実装され得ることが、当業者は容易に分かるはずである。ある機能がハードウェアにより実施されるか、またはコンピュータソフトウェアにより駆動されたハードウェアにより実施されるかは、技術的解決法の具体的な応用および設計上の制約に依存する。当業者は、それぞれの具体的な応用に関して、説明されている機能を実装するのに種々の方法を用い得るが、その実装が本願発明の範囲を超えるものとみなされるべきではない。
【００６４】
本願発明の実施形態において、機能モジュールの区分は、先述の方法例に基づき基地局上で実施され得る。例えば、各機能モジュールが、各機能の対応関係での区分により得られ得、または２またはそれより多くの機能が１つの処理モジュールとなるよう統合され得る。その統合されたモジュールは、ハードウェアの形態で実装され得、またはソフトウェア機能モジュールの形態で実装され得る。留意されるべきなのは、本願発明の実施形態におけるモジュールの区分は例であり、単に論理的機能区分であるということである。実際の実装においては他の区分方式があり得る。
【００６５】
各機能に対する対応関係での区分により各機能モジュールが得られる場合、図９が、先述の実施形態で用いられる通信デバイスの考えられる概略構造図である。通信デバイスは、グループ化ユニット９０１、決定ユニット９０２、および送信ユニット９０３を含む。決定ユニット９０２は、図５ａにおける段階５０１および５０３の実施において通信デバイスをサポートするよう構成される。グループ化ユニット９０１は、図５ａにおける段階５０２の実施において基地局をサポートするよう構成される。送信ユニット９０３は、図５ａにおける段階５０４の実施において基地局をサポートするよう構成される。対応する機能モジュールの機能についての説明に関しては、先述の方法の実施形態における段階に関連するいずれかの内容を参照されたい。詳細は、本明細書で改めて説明されない。
【００６６】
統合されたユニットが用いられた場合、図１０が、先述の実施形態で用いられる通信デバイスの考えられる概略構造図である。通信デバイス１０は、処理モジュール１００１および通信モジュール１００２を含む。処理モジュール１００１は、基地局の動作を制御および管理するよう構成される。例えば、処理モジュール１００１は、図５ａにおける段階５０１、５０２および５０３の実施において基地局をサポートするよう構成される。通信モジュール１００２は、他のネットワークエンティティとの通信において、例えばＵＥとの通信において基地局をサポートするよう構成され、特に、図５ａにおける段階５０４の実施において基地局をサポートするよう構成される。基地局はさらに、基地局のプログラムコードおよびデータを格納するよう構成された格納モジュール１００３を含み得る。
【００６７】
処理モジュール１００１は、プロセッサ、デジタル信号プロセッサ（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）若しくは他のプログラマブルロジックデバイス、トランジスタロジックデバイス、ハードウェアデバイス、またはこれらの任意の組み合わせであり得る。処理モジュール１００１は、本願発明で開示されている内容を参照し説明されている様々な例示的な論理ブロック、モジュール、および回路を実装または実行し得る。代替的に、プロセッサは、演算機能を実装するプロセッサの組み合わせであり得、例えば、１若しくは複数のマイクロプロセッサの組み合わせ、またはＤＳＰおよびマイクロプロセッサの組み合わせであり得る。通信モジュール１００２は、トランシーバ、トランシーバ回路、通信インタフェース、または同様のものであり得る。格納モジュール１００３はメモリであり得る。
【００６８】
処理モジュール１００１がプロセッサであり、通信モジュール１００２がトランシーバであり、格納モジュール１００３がメモリである場合、本願発明の本実施形態で用いられる通信デバイスは図１１に示されている通信デバイスであり得る。
【００６９】
図１１に示されているように、通信デバイス１１は、プロセッサ１１１２、トランシーバ１１１３、メモリ１１１１、およびバス１１１４を含む。トランシーバ１１１３、プロセッサ１１１２、およびメモリ１１１１はバス１１１４を用いて相互接続される。バス１１１４は、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ，ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，ＥＩＳＡ）バス、または同様のものであり得る。バスは、アドレスバス、データバス、制御バス、および同様のものに分類され得る。表現を容易に行うために、図１１においてはバスを表すのに１つの太線のみが用いられているが、このことは、１つのバスのみ、または１つのタイプのバスのみがあることを意味しない。
【００７０】
各機能に対する対応関係での区分により各機能モジュールが得られる場合、図１２が、先述の実施形態で用いられる端末の考えられる概略構造図である。端末は、決定ユニット１２０１および送信ユニット１２０２を含む。決定ユニット１２０１は、図５ｂにおける段階６０１の実施において端末をサポートするよう構成される。送信ユニット１２０２は、図５ｂにおける段階６０２の実施において端末をサポートするよう構成される。対応する機能モジュールの機能についての説明に関しては、先述の方法の実施形態における段階に関連するいずれかの内容を参照されたい。詳細は、本明細書で改めて説明されない。
【００７１】
統合されたユニットが用いられた場合、図１３が、先述の実施形態で用いられる端末の考えられる概略構造図である。端末は、処理モジュール１３０１および通信モジュール１３０２を含む。処理モジュール１３０１は、端末の動作を制御および管理するよう構成される。例えば、処理モジュール１３０１は、図５ｂにおける段階６０１の実施において端末をサポートするよう構成される。通信モジュール１３０２は、他のネットワークエンティティとの通信において、例えば基地局との通信において端末をサポートするよう構成され、特に、図５ｂにおける段階６０２の実施において端末をサポートするよう構成される。端末はさらに、端末のプログラムコードおよびデータを格納するよう構成された格納モジュール１３０３を含み得る。
【００７２】
処理モジュール１３０１は、プロセッサ、ＤＳＰ、ＡＳＩＣ、ＦＰＧＡ若しくは他のプログラマブルロジックデバイス、トランジスタロジックデバイス、ハードウェアコンポーネント、またはこれらの任意の組み合わせであり得る。処理モジュール１３０１は、本願発明で開示されている内容を参照し説明されている様々な例示的な論理ブロック、モジュール、および回路を実装または実行し得る。代替的に、プロセッサは、演算機能を実装するプロセッサの組み合わせであり得、例えば、１若しくは複数のマイクロプロセッサの組み合わせ、またはＤＳＰおよびマイクロプロセッサの組み合わせであり得る。通信モジュール１３０２は、トランシーバ、トランシーバ回路、通信インタフェース、または同様のものであり得る。格納モジュール１３０３はメモリであり得る。
【００７３】
処理モジュール１３０１がプロセッサであり、通信モジュール１３０２がトランシーバであり、格納モジュール１３０３がメモリである場合、本願発明の本実施形態で用いられる端末は図１４に示されている端末であり得る。
【００７４】
図１４に示されているように、端末１４は、プロセッサ１４１２、トランシーバ１４１３、メモリ１４１１、およびバス１４１４を含む。トランシーバ１４１３、プロセッサ１４１２、およびメモリ１４１１はバス１４１４を用いて相互接続される。バス１４１４は、ペリフェラルコンポーネントインターコネクトＰＣＩバス、拡張型業界標準アーキテクチャＥＩＳＡバス、または同様のものであり得る。バスは、アドレスバス、データバス、制御バス、および同様のものに分類され得る。表現を容易に行うために、図１４においてはバスを表すのに１つの太線のみが用いられているが、このことは、１つのバスのみ、または１つのタイプのバスのみがあることを意味しない。
【００７５】
本願発明の実施形態はさらに、図５ａの通信デバイスにより用いられるコンピュータソフトウェア命令を格納するよう構成されたコンピュータ記憶媒体を提供する。コンピュータソフトウェア命令は、図５ａの段階５０１から５０４を実施するために設計されたプログラムを含む。
【００７６】
本願発明の実施形態はさらに、図５ｂの通信デバイスにより用いられるコンピュータソフトウェア命令を格納するよう構成されたコンピュータ記憶媒体を提供する。コンピュータソフトウェア命令は、図５ｂの段階６０１から６０２を実施するために設計されたプログラムを含む。
【００７７】
本願発明で開示されている内容と組み合わせて説明されている方法またはアルゴリズム段階はハードウェアにより実装され得、または、プロセッサによってソフトウェア命令を実行することにより実装され得る。ソフトウェア命令は対応するソフトウェアモジュールを含み得る。ソフトウェアモジュールは、ランダムアクセスメモリ（Ｒａｎｄｏｍ  Ａｃｃｅｓｓ  Ｍｅｍｏｒｙ，ＲＡＭ）、フラッシュメモリ、読み取り専用メモリ（Ｒｅａｄ  Ｏｎｌｙ  Ｍｅｍｏｒｙ，ＲＯＭ）、消去可能プログラマブル読み取り専用メモリ（Ｅｒａｓａｂｌｅ  Ｐｒｏｇｒａｍｍａｂｌｅ  ＲＯＭ，ＥＰＲＯＭ）、電子的消去可能プログラマブル読み取り専用メモリ（Ｅｌｅｃｔｒｉｃａｌｌｙ  ＥＰＲＯＭ，ＥＥＰＲＯＭ）、レジスタ、ハードディスク、モバイルハードディスク、コンパクトディスク読み取り専用メモリ（ＣＤ−ＲＯＭ）、または当技術分野で周知の任意の他の形態の記憶媒体に格納され得る。例えば、記憶媒体がプロセッサに結合され、これにより、プロセッサは、記憶媒体から情報を読み取ることが出来、または情報を記憶媒体に書き込むことが出来る。当然、その記憶媒体はプロセッサのコンポーネントであり得る。それらプロセッサおよび記憶媒体は、ＡＳＩＣ内に配置され得る。加えて、そのＡＳＩＣは、コアネットワークインタフェースデバイス内に配置され得る。当然、それらプロセッサおよび記憶媒体は、ディスクリートコンポーネントとしてそのコアネットワークインタフェースデバイス内に存在し得る。
【００７８】
先述の１または複数の例において、本願発明で説明されている機能がハードウェア、ソフトウェア、ファームウェア、またはこれらの任意の組み合わせにより実装され得ることを当業者は分かるはずである。本願発明がソフトウェアにより実装される場合、先述の機能は、コンピュータ可読媒体内に格納され得、またはコンピュータ可読媒体内の１または複数の命令またはコードとして伝送され得る。コンピュータ可読媒体はコンピュータ記憶媒体および通信媒体を含み、ここで、その通信媒体は、コンピュータプログラムの、ある一箇所から他の箇所への伝送を可能とする任意の媒体を含む。記憶媒体は、汎用または専用のコンピュータがアクセス可能である任意の利用可能な媒体であり得る。
【００７９】
本願発明の目的、技術的解決法、および便益はさらに、先述の具体的な実装において詳細に説明されている。先述の説明は単に本願発明の具体的な実装であり、本願発明の保護範囲を限定することが意図されていないことが理解されるはずである。本願発明の技術的解決法に基づくいずれの変更、同等の置き換え、または発展が本願発明の保護範囲に含まれるものとする。
【図１】
2020500469.tif 000003
【図２】
2020500469.tif 000004
【図３】
2020500469.tif 000005
【図４】
2020500469.tif 000006
【図５ａ】
2020500469.tif 000007
【図５ｂ】
2020500469.tif 000008
【図６】
2020500469.tif 000009
【図７】
2020500469.tif 000010
【図８】
2020500469.tif 000011
【図９】
2020500469.tif 000012
【図１０】
2020500469.tif 000013
【図１１】
2020500469.tif 000014
【図１２】
2020500469.tif 000015
【図１３】
2020500469.tif 000016
【図１４】
2020500469.tif 000017
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
複数のセルで構成された端末に関して、前記複数のセルを、サブキャリア間隔に基づきセルグループにグループ化する段階であって、前記セルグループに関する電力制御モードは、基地局によって第１電力制御モードまたは第２電力制御モードに設定され、前記複数のセルはキャリアアグリゲーションＣＡまたは同時通信ＤＣのいずれかを用いる、段階を備える電力制御方法。
【請求項２】
前記複数のセルを、サブキャリア間隔に基づきセルグループにグループ化する前記段階は、サブキャリア間隔が同じであるセルを同じセルグループに含める段階であって、前記セルグループ内の前記セルは同じ電力制御モードを用い、前記同じ電力制御モードは前記第１電力制御モードまたは前記第２電力制御モードである、段階を有する、請求項１に記載の電力制御方法。
【請求項３】
前記第１電力制御モードは、チャネルタイプの優先度またはセルグループタイプの優先度に基づき伝送電力を配分するのに用いられ、前記第２電力制御モードは、伝送チャネルまたはセルグループの送信の時間順序に基づき電力を配分するのに用いられる、請求項１または２に記載の電力制御方法。
【請求項４】
前記複数のセルのうち各セルはキャリアまたはサービングセルのうち少なくとも１つである、請求項１から３のいずれか一項に記載の電力制御方法。
【請求項５】
端末が、第１報告情報を基地局へ送信する段階であって、前記第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、段階を備える電力制御方法。
【請求項６】
前記電力配分方式は、種々のキャリアセットまたは周波数帯域セットが独立した電力制御を用いることを含み、前記独立した電力制御は、少なくとも１つのキャリアセットまたは少なくとも１つの周波数帯域セットの最大伝送電力が独立して予め定められることを含む、請求項５に記載の電力制御方法。
【請求項７】
前記端末は、前記少なくとも１つのキャリアセットまたは前記少なくとも１つの周波数帯域セットの前記最大伝送電力と、電力を共有出来る前記少なくとも１つのキャリアセットまたは前記少なくとも１つの周波数帯域セットの合計最大伝送電力とを予め定める、請求項６に記載の電力制御方法。
【請求項８】
請求項１から４のいずれか一項に記載の電力制御方法を実行するよう構成されたグループ化ユニットを備える通信デバイス。
【請求項９】
請求項５から７のいずれか一項に記載の電力制御方法を実行するよう構成された送信ユニットを備える端末。
【請求項１０】
請求項１から４のいずれか一項に記載の電力制御方法を実行するよう構成されたプロセッサを備える通信デバイス。
【請求項１１】
請求項５から７のいずれか一項に記載の電力制御方法を実行するよう構成された送信機を備える端末。
【手続補正２】
【補正対象書類名】明細書
【補正対象項目名】００７９
【補正方法】変更
【補正の内容】
【００７９】
本願発明の目的、技術的解決法、および便益はさらに、先述の具体的な実装において詳細に説明されている。先述の説明は単に本願発明の具体的な実装であり、本願発明の保護範囲を限定することが意図されていないことが理解されるはずである。本願発明の技術的解決法に基づくいずれの変更、同等の置き換え、または発展が本願発明の保護範囲に含まれるものとする。
［項目１］
複数のセルで構成された端末に関して、上記複数のセルを、サブキャリア間隔に基づきセルグループにグループ化する段階であって、上記セルグループに関する電力制御モードは、基地局によって第１電力制御モードまたは第２電力制御モードに設定され、上記複数のセルはキャリアアグリゲーションＣＡまたは同時通信ＤＣのいずれかを用いる、段階を備える電力制御方法。
［項目２］
上記複数のセルを、サブキャリア間隔に基づきセルグループにグループ化する上記段階は、サブキャリア間隔が同じであるセルを同じセルグループに含める段階であって、上記セルグループ内の上記セルは同じ電力制御モードを用い、上記同じ電力制御モードは上記第１電力制御モードまたは上記第２電力制御モードである、段階を有する、項目１に記載の電力制御方法。
［項目３］
上記第１電力制御モードは、チャネルタイプの優先度またはセルグループタイプの優先度に基づき伝送電力を配分するのに用いられ、上記第２電力制御モードは、伝送チャネルまたはセルグループの送信の時間順序に基づき電力を配分するのに用いられる、項目１または２に記載の電力制御方法。
［項目４］
上記セルはキャリアまたはサービングセルのうち少なくとも１つである、項目１から３のいずれか一項に記載の電力制御方法。
［項目５］
端末が、第１報告情報を基地局へ送信する段階であって、上記第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、段階を備える電力制御方法。
［項目６］
上記電力配分方式は、種々のキャリアセットまたは周波数帯域セットが独立した電力制御を用いることを含み、上記独立した電力制御は、少なくとも１つのキャリアセットまたは少なくとも１つの周波数帯域セットの最大伝送電力が独立して予め定められることを含む、項目５に記載の電力制御方法。
［項目７］
上記端末は、上記少なくとも１つのキャリアセットまたは上記少なくとも１つの周波数帯域セットの上記最大伝送電力と、電力を共有出来る上記少なくとも１つのキャリアセットまたは上記少なくとも１つの周波数帯域セットの合計最大伝送電力とを予め定める、項目５または６に記載の電力制御方法。
［項目８］
複数のセルで構成された端末に関して、上記複数のセルを、サブキャリア間隔に基づきセルグループにグループ化するよう構成されたグループ化ユニットであって、上記セルグループに関する電力制御モードは、基地局によって第１電力制御モードまたは第２電力制御モードに設定され、上記複数のセルはキャリアアグリゲーションＣＡまたは同時通信ＤＣのいずれかを用いる、グループ化ユニットを備える通信デバイス。
［項目９］
上記グループ化ユニットは、サブキャリア間隔が同じであるセルを同じセルグループに含めるよう構成され、上記セルグループ内の上記セルは同じ電力制御モードを用い、上記同じ電力制御モードは上記第１電力制御モードまたは上記第２電力制御モードである、項目８に記載の通信デバイス。
［項目１０］
上記第１電力制御モードは、チャネルタイプの優先度またはセルグループタイプの優先度に基づき伝送電力を配分するのに用いられ、上記第２電力制御モードは、伝送チャネルまたはセルグループの送信の時間順序に基づき電力を配分するのに用いられる、項目８または９に記載の通信デバイス。
［項目１１］
上記セルはキャリアまたはサービングセルのうち少なくとも１つである、項目８から１０のいずれか一項に記載の通信デバイス。
［項目１２］
第１報告情報を基地局へ送信するよう構成された送信ユニットであって、上記第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、送信ユニットを備える端末。
［項目１３］
上記電力配分方式は、種々のキャリアセットまたは周波数帯域セットが独立した電力制御を用いることを含み、上記独立した電力制御は、少なくとも１つのキャリアセットまたは少なくとも１つの周波数帯域セットの最大伝送電力が独立して予め定められることを含む、項目１２に記載の端末。
［項目１４］
上記端末は、上記少なくとも１つのキャリアセットまたは上記少なくとも１つの周波数帯域セットの上記最大伝送電力と、電力を共有出来る上記少なくとも１つのキャリアセットまたは上記少なくとも１つの周波数帯域セットの合計最大伝送電力とを予め定める、項目１２または１３に記載の端末。
［項目１５］
複数のセルで構成された端末に関して、上記複数のセルを、サブキャリア間隔に基づきセルグループにグループ化するよう構成されたプロセッサであって、上記セルグループに関する電力制御モードは、基地局によって第１電力制御モードまたは第２電力制御モードに設定され、上記複数のセルはキャリアアグリゲーションＣＡまたは同時通信ＤＣのいずれかを用いる、プロセッサを備える通信デバイス。
［項目１６］
上記プロセッサはさらに、サブキャリア間隔が同じであるセルを同じセルグループに含めるよう構成され、上記セルグループ内の上記セルは同じ電力制御モードを用い、上記同じ電力制御モードは上記第１電力制御モードまたは上記第２電力制御モードである、項目１５に記載の通信デバイス。
［項目１７］
上記第１電力制御モードは、チャネルタイプの優先度またはセルグループタイプの優先度に基づき伝送電力を配分するのに用いられ、上記第２電力制御モードは、伝送チャネルまたはセルグループの送信の時間順序に基づき電力を配分するのに用いられる、項目１５または１６に記載の通信デバイス。
［項目１８］
上記セルはキャリアまたはサービングセルのうち少なくとも１つである、項目１５から１７のいずれか一項に記載の通信デバイス。
［項目１９］
第１報告情報を基地局へ送信するよう構成された送信機であって、上記第１報告情報は種々のキャリアセットまたは周波数帯域セットに関する電力配分方式を示し、キャリアセットは少なくとも１つのキャリアを含み、周波数帯域セットは少なくとも１つの周波数帯域を含む、送信機を備える端末。
［項目２０］
上記電力配分方式は、種々のキャリアセットまたは周波数帯域セットが独立した電力制御を用いることを含み、上記独立した電力制御は、少なくとも１つのキャリアセットまたは少なくとも１つの周波数帯域セットの最大伝送電力が独立して予め定められることを含む、項目１９に記載の端末。
［項目２１］
上記端末は、上記少なくとも１つのキャリアセットまたは上記少なくとも１つの周波数帯域セットの上記最大伝送電力と、電力を共有出来る上記少なくとも１つのキャリアセットまたは上記少なくとも１つの周波数帯域セットの合計最大伝送電力とを予め定める、項目１９または２０に記載の端末。
【国際調査報告】
2020500469.tif 000018
2020500469.tif 000019
2020500469.tif 000020
2020500469.tif 000021
2020500469.tif 000022
2020500469.tif 000023
2020500469.tif 000024
2020500469.tif 000025
2020500469.tif 000026